(57)【要約】【課題】特定ユーザの再生履歴に基づいて、複数ユーザに再生が許可されているコンテンツの再生を制御するのに優れた再生制御方法を提供すること。【解決手段】再生制御方法は、コンテンツを記録する記録装置に対して接続された第１の再生装置に対して前記コンテンツの再生を指示し、前記第１の再生装置に対して前記コンテンツの再生停止を指示し、前記第１の再生装置による前記コンテンツの再生及び再生停止に対応して得られる前記コンテンツの再生付随情報を受信し、前記記録装置に対して接続された前記第２の再生装置に対して前記再生付随情報を送信し、前記再生付随情報に基づく前記コンテンツの再生を指示する。【選択図】      図４
2007323732.tif 000002
【特許請求の範囲】
【請求項１】
コンテンツを記録する記録装置にネットワークを介して接続された第１の再生装置による前記コンテンツの再生に対応して得られる前記コンテンツの再生付随情報を、前記第１の再生装置から受信する受信手段と、
前記記録装置に前記ネットワークを介して接続された前記第２の再生装置に前記再生付随情報を送信し、前記再生付随情報に基づく前記コンテンツの再生を指示する送信手段と、
を備えることを特徴とする再生制御装置。
【請求項２】
前記再生付随情報は、前記コンテンツの格納先を示す情報、及び前記コンテンツの再生停止に対応して得られる再生停止位置を示す情報を含み、
前記送信手段は、前記第２の再生装置に対して前記再生付随情報を送信し、前記再生付随情報に基づく前記コンテンツの再生停止位置からの再生再開を指示する、
ことを特徴とする請求項１に記載の再生制御装置。
【請求項３】
前記再生付随情報は、前記コンテンツを格納した前記記録装置の固有情報、前記コンテンツの固有情報、及び前記コンテンツの再生停止に対応して得られる再生停止位置を示す情報を含み、
前記送信手段は、前記第２の再生装置に対して前記再生付随情報を送信し、前記再生付随情報に基づく前記コンテンツの再生停止位置からの再生再開を指示する、
ことを特徴とする請求項１に記載の再生制御装置。
【請求項４】
前記送信手段は、前記第１の再生装置に対して前記コンテンツの再生を指示し、さらに前記コンテンツの再生停止を指示する、
ことを特徴とする請求項２又は３に記載の再生制御装置。
【請求項５】
コンテンツを記録する記録装置にネットワークを介して接続された第１の再生装置に前記コンテンツの再生を指示し、
前記第１の再生装置に対して前記コンテンツの再生停止を指示し、
前記第１の再生装置による前記コンテンツの再生及び再生停止に対応して得られる前記コンテンツの再生付随情報を前記第１の再生装置から受信し、
前記記録装置に前記ネットワークを介して接続された前記第２の再生装置に前記再生付随情報を送信し、前記再生付随情報に基づく前記コンテンツの再生を指示する、
ことを特徴とする再生制御方法。
【請求項６】
前記再生付随情報は、前記コンテンツの格納先を示す情報、及び前記コンテンツの再生停止に対応して得られる再生停止位置を示す情報を含み、
前記第２の再生装置に対して前記再生付随情報を送信し、前記再生付随情報に基づく前記コンテンツの再生停止位置からの再生再開を指示する、
ことを特徴とする請求項５に記載の再生制御方法。
【請求項７】
前記再生付随情報は、前記コンテンツを格納した前記記録装置の固有情報、前記コンテンツの固有情報、及び前記コンテンツの再生停止に対応して得られる再生停止位置を示す情報を含み、
前記第２の再生装置に対して前記再生付随情報を送信し、前記再生付随情報に基づく前記コンテンツの再生停止位置からの再生再開を指示する、
ことを特徴とする請求項５に記載の再生制御方法。
【請求項８】
UPnP（Universal Plug and Play）の規格に適合した再生装置であって、
コンテンツの再生指示に対して、前記コンテンツを記録する記録装置から前記コンテンツを取得し前記コンテンツを再生する再生手段と、
前記コンテンツの再生に対応して得られる前記コンテンツの再生付随情報の要求に対して、前記コンテンツの再生付随情報を送信する送信手段と、
を備えることを特徴とする再生装置。
【請求項９】
前記再生付随情報を受信する受信手段を備え、
前記再生手段は、前記受信手段により受信した前記再生付随情報に基づき前記コンテンツを取得し前記コンテンツを再生することを特徴とする請求項８に記載の再生装置。
【請求項１０】
前記再生付随情報は、前記コンテンツの格納先を示す情報、及び前記コンテンツの再生停止に対応して得られる再生停止位置を示す情報を含み、
前記再生手段は、前記受信手段により受信した前記再生付随情報に基づき前記コンテンツを取得し前記コンテンツの再生停止位置からの再生を再開する、
ことを特徴とする請求項９に記載の再生装置。
【請求項１１】
前記再生付随情報は、前記コンテンツを格納した前記記録装置の固有情報、前記コンテンツの固有情報、及び前記コンテンツの再生停止に対応して得られる再生停止位置を示す情報を含み、
前記再生手段は、前記受信手段により受信した前記再生付随情報に基づき前記コンテンツを取得し前記コンテンツの再生停止位置からの再生を再開する、
ことを特徴とする請求項９に記載の再生装置。
【発明の詳細な説明】
【技術分野】
【０００１】
本発明は、コンテンツの記録装置に対してネットワーク接続可能なコンテンツの再生装置を制御する再生制御装置及び再生制御方法に関する。また、本発明は、コンテンツの記録装置に対してネットワーク接続可能なコンテンツの再生装置に関する。
【背景技術】
【０００２】
近年、ＤＶＤ（ｄｉｇｉｔａｌ ｖｅｒｓａｔｉｌｅ ｄｉｓｃ）に関する研究開発が盛んになっている。ＤＶＤは、ＤＶＤ規格に定義されているように、第１、第２、第３の論理ユニットから構成されている。第１論理ユニットは、ユーザコマンドを第２論理ユニットに中継（リレー）するＤＶＤプレーヤアプリケーションである。第２論理ユニットは、ユーザコマンドに基づいてＤＶＤ上のデータを読み取るＤＶＤナビゲータである。第３論理ユニットは、ＤＶＤから読み取ったデータを伸張するＤＶＤプレゼンテーションである。
【０００３】
例えば、ユーザが、ＤＶＤ上の特定のロケーションで、ムービ（動画）の視聴を停止し、後でこの特定のロケーションから視聴を再開したい場合、ユーザはそのロケーションを覚えておき、手動操作でその個所に戻るようにナビゲートしなければならない。これでは不便である。
【０００４】
そこで、ＤＶＤプレーヤアプリケーションが、特定のロケーションに対してブックマーク（ｂｏｏｋｍａｒｋ）を付けて、後でブックマークに基づき特定のロケーションから再生を再開できるようにする技術が開示されている（特許文献１参照）。
【特許文献１】特開２００２−２３７１７３
【発明の開示】
【発明が解決しようとする課題】
【０００５】
しかしながら、上記した文献には、複数のユーザにより複数のブックマークが生成された場合の、これら複数のブックマークの管理については何ら言及されていない。ユーザの数が増加すると、必然的にブックマークの数も増加することが予想され、このような場合にはユーザ別にブックマークを管理することが望ましい。
【０００６】
本発明の目的は、上記課題を解決するためになされたものであり、特定ユーザの再生履歴に基づいて、複数ユーザに再生が許可されているコンテンツの再生を制御するのに優れた再生制御装置及び再生制御方法を提供することにある。また、本発明の目的は、特定ユーザの再生履歴に基づいて、複数ユーザに再生が許可されているコンテンツを再生することが可能な再生装置を提供することにある。
【課題を解決するための手段】
【０００７】
この発明の再生制御装置、再生制御方法、及び再生装置は、以下のように構成されている。
【０００８】
この発明の一例の再生制御装置は、コンテンツを記録する記録装置にネットワークを介して接続された第１の再生装置による前記コンテンツの再生に対応して得られる前記コンテンツの再生付随情報を前記第１の再生装置から受信する受信手段と、前記記録装置に前記ネットワークを介して接続された前記第２の再生装置に前記再生付随情報を送信し、前記再生付随情報に基づく前記コンテンツの再生を指示する送信手段とを備える。
【０００９】
この発明の一例の再生制御方法は、コンテンツを記録する記録装置にネットワークを介して接続された第１の再生装置に前記コンテンツの再生を指示し、前記第１の再生装置に対して前記コンテンツの再生停止を指示し、前記第１の再生装置による前記コンテンツの再生及び再生停止に対応して得られる前記コンテンツの再生付随情報を前記第１の再生装置から受信し、前記記録装置に前記ネットワークを介して接続された前記第２の再生装置に前記再生付随情報を送信し、前記再生付随情報に基づく前記コンテンツの再生を指示する。
【００１０】
この発明の一例の再生装置は、UPnP（Universal Plug and Play）の規格に適合した再生装置であって、コンテンツの再生指示に対して、前記コンテンツを記録する記録装置から前記コンテンツを取得し前記コンテンツを再生する再生手段と、前記コンテンツの再生に対応して得られる前記コンテンツの再生付随情報の要求に対して、前記コンテンツの再生付随情報を送信する送信手段とを備える。
【発明の効果】
【００１１】
本発明によれば、特定ユーザの再生履歴に基づいて、複数ユーザに再生が許可されているコンテンツの再生を制御するのに優れた再生制御装置及び再生制御方法を提供できる。また、本発明によれば、特定ユーザの再生履歴に基づいて、複数ユーザに再生が許可されているコンテンツを再生することが可能な再生装置を提供できる。
【発明を実施するための最良の形態】
【００１２】
以下、図面を参照し、本発明の実施形態について説明する。
【００１３】
現在、UPnP（Universal Plug and Play） AV における新たな機能としてブックマーク（bookmark）が検討されている。これはコンテンツのポーズ／リジューム（Pause/Resume）を実現するためのものである。なお、UPnPは、主としてIPネットワークにおけるサーバ機器とクライアント機器との間における機器発見、及びサーバ機器の遠隔制御などのプロトコルを規定するもの規格である。
【００１４】
上記したブックマークは、コンテンツのポーズ時に再生停止位置、サーバ情報、クライアント情報などで構成される再生付随情報をコンテンツが保存されているサーバ機器へと保存し、リジューム時にはこのブックマークを元にコンテンツの再生を再開するものである。
【００１５】
コンテンツを保存しているサーバ機器を使用するユーザの数が増えると、必然的にブックマーク数も増加することが考えられ、そのような場合にはユーザ別にブックマークを管理することが望ましい。
【００１６】
しかし、現状のブックマークにはユーザ情報を記録できるようにはなっていない。また、ブックマークを拡張しユーザ情報を扱えるようにしたとしてもユーザを識別するための仕組みをサーバ機器やクライアント機器に持たせる必要がある。
【００１７】
そこで、本実施形態では、コンテンツのポーズ時にサーバ機器でもクライアント機器でもない、別の制御装置（再生制御装置）に再生付随情報を保存し、リジューム時にはこの制御装置からサーバ機器（記録装置）もしくはクライアント機器（再生装置）に再生付随情報を伝送することでポーズ位置からコンテンツの再生を再開するというものである。
【００１８】
本実施形態によれば、制御装置として、携帯電話のように個人が持つモバイル機器を採用することにより、従来のポーズ/リジュームの方式に比べて（特にサーバ機器にブックマークを記録する方式に比べて）、ユーザ識別の仕組みをあえてユーザインターフェイスに搭載する必要がないため開発コストが非常に少なく、しかも容易にユーザ別の管理を実現でき有用である。
【００１９】
図１は、本発明の実施形態に係る記録再生システムの概要図である。図１に示すように、記録再生システムは、記録装置１１、第１の再生装置１２、第２の再生装置１３、制御装置（再生制御装置）１４を備えている。これらの機器はネットワークを介して接続されている。記録装置１１は、コンテンツを記録する。つまり、記録装置１１は、コンテンツを保持する。記録装置１１は、第１の再生装置１２又は第２の再生装置１３からのコンテンツ要求に応じて、これら第１の再生装置１２又は第２の再生装置１３に対してコンテンツを送信する。第１の再生装置１２又は第２の再生装置１３は、記録装置１１から送信されるコンテンツを受信し再生する。
【００２０】
本記録再生システムにおいて、記録装置１１、第１の再生装置１２、第２の再生装置１３は、例えばＤＬＮＡ対応機器のようにネットワークを経由して機器発見やコンテンツの送受信を行う機能を有している。
【００２１】
UPnP AV で議論されているブックマークは、コンテンツのポーズ＆リジュームを実現するためのものである。このブックマークは、コンテンツのポーズ時に再生停止位置、サーバ情報、クライアント情報などで構成される再生付随情報をコンテンツが保存されているサーバ機器へと保存し、リジューム時にはこのブックマークを元にコンテンツの再生を再開するものである。
【００２２】
ブックマークをサポートするサーバ機器を家庭で使う場合など、ユーザの数の増加に伴いブックマーク数も増加することが考えられ、そのような場合にはユーザ別にブックマークを管理できると便利である。
【００２３】
例えば、記録装置（サーバ機器）、再生装置Ａ（クライアント機器）、再生装置Ｂ（クライアント機器）がネットワーク接続された環境を想定する。記録装置に記録されているコンテンツを、家族が再生装置Ａで視聴する。再生装置Ａでこのコンテンツを途中まで再生して再生位置Ｐでポーズし、このコンテンツの続きを別の部屋の再生装置Ｂで視聴することを想定する。この場合、再生位置Ｐの情報をブックマークとして、再生装置Ａから記録装置に伝送し、記録装置がこのブックマークを記録する。再生装置Ｂは、記録装置からブックマークを受信し、ブックマークにより示される再生位置Ｐからのコンテンツを伝送するよう記録装置に対して指示する。
【００２４】
このようなポーズ＆リジューム動作を、再生装置Ｂで行う場合、再生装置Ｂにおいて過去のブックマークの一覧を表示させ、ユーザにどのブックマークから再生するかを指示させるユーザインターフェイスが必要になる。
【００２５】
このようなポーズ＆リジューム機能は、ネットワーク機能としてユーザに非常に有益な機能である。しかし、家族がこの機能を使うと、ブックマークが非常に多くなり、希望するコンテンツを選択するのが複雑になる。家族の人数が多いと、この傾向はますます強まる。また、家族のうち特定の１人だけがポーズしてリジュームする場合は、他の家族にとっては無意味なブックマークが存在することとなる。そこで、考えらられるのは、ユーザ個人の識別をしてブックマークを記録装置に登録する方法である。この場合、ポーズした位置情報Ｐとともに、ユーザー（父、母、長男、長女、次男）の識別情報も記録する方法が一般的に考えられる。しかし、この方法では、現状のブックマークにはユーザ情報を記録できず、またブックマークを拡張しユーザ情報を扱えるようにしたとしてもユーザを識別するための仕組みをサーバ機器やクライアント機器に持たせたり、ユーザインターフェイスで、ユーザを選択したりする必要があり、ソフト開発の負荷が増大する。
【００２６】
そこで本実施形態は、例えば携帯電話機などのような個人個人で持つモバイル機器を制御装置１４として採用する。この制御装置１４が、記録装置１１や再生装置１２と通信を行い、コンテンツの再生及びポーズを指示し、ポーズの指示に対応して再生装置１２からコンテンツの再生付随情報１５を取得し、この再生付随情報１５を保存する。この再生付随情報１５は、例えば、コンテンツのタイトル、コンテンツのタイトルの格納先を示す情報（ＵＲＬ又はＵＲＩ）、ポーズした位置情報を含む。リジューム機能を実行する場合、制御装置１４は、再生付随情報１５を記録装置１１もしくは再生装置１３（再生装置１２でもよい）に伝送する。再生装置１３は、制御装置１４から取得した再生付随情報１５に基づき、記録装置１１にポーズしたコンテンツ（ポーズした位置からのコンテンツ）を要求し、ポーズした位置から再生を再開する。
【００２７】
上記したように、制御装置１４として、個人が所有する携帯電話や個人が所有するＰＤＡ等のモバイル機器を採用する。つまり、個人が所有するモバイル機器に、ポーズしたコンテンツの再生付随情報が保存されることになり、記録装置１１と再生装置１３との間で送受信される情報は、個人の情報だけになる。よって、再生情報１３が例えば一覧表示するブックマーク情報も、個人の情報だけになる（個人がポーズしたコンテンツの再生付随情報だけになる）。したがって、個人の情報も守れるし、他人がポーズしたコンテンツの再生付随情報が表示されることもない。
【００２８】
つまり、制御装置１４として、個人が所有するモバイル機器を採用することにより、従来のポーズ/リジュームの方式に比べて（特にサーバ機器にブックマークを記録する方式に比べて）、ユーザ識別の仕組みをあえてユーザインターフェイスに搭載する必要がないため開発コストが非常に少なく、しかも容易にユーザ別の管理を実現でき有用である。また個人のプライバシー情報も守られ、セキュリティに優れる。
【００２９】
図２は、制御装置１４の概略構成を示すブロック図である。制御装置１４は、ＣＰＵ２１、再生付随情報１５を記録するメモリ２２、他の装置（記録装置１１、再生装置１２、１３）との通信を行う通信部２３、ユーザインターフェイスを扱う入出力部２４を備えている。
【００３０】
ＣＰＵ２１は、メモリ２２に格納されたプログラムを実行することにより各種の機能を実現するもので、以下の装置各部を連携して制御する。ポーズ時には、制御装置１４は、入出力部２４よりユーザからの指示を受けると、通信部２３を介して記録装置１１あるいは再生装置１２と通信し、再生付随情報１５を収集し、メモリ２２に格納する。リジューム時には、制御装置１４は、記録装置１１あるいは再生装置１３と通信し、メモリ２２に格納された再生付随情報１５を再生装置１３へ送信し、この再生付随情報に基づき再生を再開させる。
【００３１】
図３は、再生装置１２、１３の概略構成を示すブロック図である。再生装置１２、１３は、ＣＰＵ３１、再生付随情報１５を記録するメモリ３２、他の装置との通信を行う通信部３３、ユーザインターフェイスを扱う入出力部３４、コンテンツを再生する再生部３５を備えている。
【００３２】
ＣＰＵ３１は、メモリ３２に格納されたプログラムを実行することにより各種の機能を実現するもので、以下の装置各部を連携して制御する。再生装置１２、１３の通信部３３が、制御装置１４からコンテンツの再生の指示を受信すると、再生装置１２、１３の再生部３５は、記録装置１１からコンテンツを取得しコンテンツの再生を開始する。さらに、再生装置１２、１３の通信部３３は、制御装置１４からポーズの指示を受信すると、再生装置１２、１３の再生部３５は、コンテンツの再生を停止し、このコンテンツの再生停止に対応してコンテンツの再生付随情報１５を確保し、再生制御部１２、１３の通信部３３は、制御装置１４に対して再生付随情報１５を送信する。さらに、再生装置１２、１３の通信部３３は、制御装置１４からリジュームの指示及び再生付随情報１５を受信すると、再生装置１２、１３の再生部３５は、再生付随情報１５に基づき、記録装置１１にポーズしたコンテンツ（ポーズした位置からのコンテンツ）を要求し、ポーズした位置から再生を再開する。
【００３３】
図４は、記録再生システムにおける再生制御の一例を示す図である。図４に示すように、制御装置１４は、記録装置１１の機器を発見し（Ｓ１）、記録装置１１内に蓄えられているコンテンツを選択する（Ｓ１）。制御装置１４は、選択したコンテンツを再生すべく、再生装置１２に再生を指示する（Ｓ２）。再生装置１２は、再生指示に基づき記録装置１１に対してコンテンツを要求し（Ｓ３）、コンテンツの要求を受けた記録装置１１は、再生装置１２にコンテンツを送信する（Ｓ４）。これにより再生装置１２は、記録装置１１から送信されるコンテンツを再生する。
【００３４】
その後、制御装置１４が、再生装置１２に対してポーズ（再生停止）を指示し、再生付随情報を要求すると（Ｓ５）、再生装置１２は、コンテンツの再生を停止し、コンテンツの再生停止に対応して得られる再生付随情報を送信する（Ｓ６）。制御装置１４は、再生付随情報を受信し保存する。
【００３５】
さらに、その後、制御装置１４が、再生装置１３に対してリジューム（再生再開）を指示するとともに再生付随情報を送信すると（Ｓ７）、再生装置１３は、再生再開指示及び再生付随情報を受信し、再生再開指示及び再生付随情報に基づき記録装置１１に対してポーズしたコンテンツ（ポーズした位置からのコンテンツ）を要求する（Ｓ８）。記録装置１１は、再生装置１３に対してポーズしたコンテンツ（ポーズした位置からのコンテンツ）を送信する。これにより、再生装置１３は、ポーズした位置から再生を再開する（Ｓ９）。
【００３６】
以上、本実施形態では、ポーズ時にサーバ機器でもクライアント機器でもない別の制御装置１４に再生付随情報１５を保存し、リジューム時にはこの制御装置１４からサーバ機器もしくはクライアント機器に再生付随情報１５を伝送し、再生を再開する。
【００３７】
また、制御装置１４として、携帯電話のように個人が持つモバイル機器を採用することにより、従来のポーズ/リジュームの方式に比べて（特にサーバ機器にブックマークを記録する方式に比べて）、ユーザ識別の仕組みをあえてユーザインターフェイスに搭載する必要がないため開発コストが非常に少なく、しかも容易にユーザ別の管理を実現でき有用である。また例えばＴＶなどを共有する家族間であっても個人のプライバシーを保護できる利点がある。
【００３８】
以下、図５〜図７のフローチャートを参照して、再生開始処理、再生停止処理、再生再開処理について説明する。図５は、再生開始処理を示すフローチャートであり、図６は、再生停止処理を示すフローチャートであり、図７は、再生再開処理を示すフローチャートである。
【００３９】
まず、図５を参照して、再生開始処理について説明する。制御装置１４は、ネットワークに接続された記録装置１１を発見し、記録装置内のコンテンツ一覧を取得する（ＳＴＥＰ１１）。ユーザは、制御装置１４を操作し、コンテンツ一覧から再生するコンテンツを選択する。また、コンテンツの再生を行う再生機器も併せて選択する。これにより、制御装置１４は、再生装置１２又は１３に対してコンテンツの再生指示を行う（ＳＴＥＰ１２）。再生装置１２又は１３は、制御装置１４からの指示に従い記録装置１１に対してコンテンツ取得要求を送信する（ＳＴＥＰ１３）。コンテンツ取得要求を受けた記録装置１１は、指定されたコンテンツを再生装置１２又は１３へと送出し、再生装置１２又は１３は受信したコンテンツを再生する（ＳＴＥＰ１４）。
【００４０】
続いて、図６を参照して、再生中断処理について説明する。コンテンツの再生を中断する場合には、ユーザ操作に伴い制御装置１４が、再生装置１２又は１３に対して再生中断指示、および再生付随情報取得要求を行う（ＳＴＥＰ２１）。指示を受けて、再生装置１２又は１３は記録装置１１からのコンテンツ受信を停止し、再生装置１２又は１３でのコンテンツ再生を停止する。さらに制御装置１４からの再生付随情報取得要求に応じて、再生付随情報１５を制御装置１４に送信する（ＳＴＥＰ２２）。制御装置１４は、受信した再生付随情報１５を保存する（ＳＴＥＰ２３）。
【００４１】
続いて、図７を参照して、再生再開処理について説明する。再生を再開するには、ユーザは制御装置１４を操作し、制御装置１４に保存されている再生付随情報一覧から、再生するコンテンツを選択する。また、再生を行う再生装置１２又は１３の選択を行う（ＳＴＥＰ３１）。制御装置１４は、ＳＴＥＰ３１にて選択された再生装置１２又は１３に対して、再生付随情報１５と共に再生再開指示を行う（ＳＴＥＰ３２）。制御装置１４からの指示を受け、再生装置１２又は１３は記録装置１１に対してコンテンツ取得要求を行う。このとき再生付随情報１５に基づき、コンテンツ途中からの取得要求を行う（ＳＴＥＰ３３）。記録装置１１では、取得要求に基づき、コンテンツの途中から送信を行う（ＳＴＥＰ３４）。再生装置１２又は１３は、コンテンツを受信し再生を再開する（ＳＴＥＰ３５）。
【００４２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４３】
【図１】図１は、本発明の実施形態に係る記録再生システムの概要図である。
【図２】図２は、制御装置の概略構成を示すブロック図である。
【図３】図３は、再生装置の概略構成を示すブロック図である。
【図４】図４は、記録再生システムにおける再生制御の一例を示す図である。
【図５】図５は、再生開始処理を示すフローチャートである。
【図６】図６は、再生停止処理を示すフローチャートである。
【図７】図７は、再生再開処理を示すフローチャートである。
【符号の説明】
【００４４】
１１…記録装置、１２…再生装置、１３…再生装置、１４…制御装置、２１…ＣＰＵ、２２…メモリ、２３…通信部、２４…入出力部、３１…ＣＰＵ、３２…メモリ、３３…通信部、３４…入出力部、３５…再生部
【図１】
2007323732.tif 000003
【図２】
2007323732.tif 000004
【図３】
2007323732.tif 000005
【図４】
2007323732.tif 000006
【図５】
2007323732.tif 000007
【図６】
2007323732.tif 000008
【図７】
2007323732.tif 000009